(57)【要約】【課題】鍵孔に異鍵を挿入して内筒を無理に回動させても係合突起が剪断されないようにする。【解決手段】レバータンブラー錠の各レバータンブラーを、略Ｃ字形で相互に重合するタンブラーＡとタンブラーＢとを組合わせたものとする一方、タンブラーＡの自由端部内側縁部のタンブラーＢと対向する側に係合突起９を突設し、また、タンブラーＢの内側縁部には支軸を中心とする円弧上にタンブラーＡの係合突起９と係合可能な係合凹部１１の複数を等角度間隔で形成して、これら係合突起９及び係合凹部１１の相対角度位置を変化させての抜き外しによって鍵違いを変化させるようにしたものにおいて、係合突部９及び係合凹部１１を１つ増設して、一対の係合突部９、９によって剪断応力を担持させる。【選択図】  図４
2004308331.tif 000002
【特許請求の範囲】
【請求項１】
レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を突設し、また、タンブラーＢの内側縁部には支軸を中心とする円弧上にタンブラーＡの係合突起と係合可能な係合凹部の複数を等角度間隔で形成すると共に、係合凹部の形成角度位置を、合鍵の側端縁に形成された複数種類の深さの鍵溝にタンブラーＡの係合部が夫々係合したとき、その係合突起と整合するように設定したものにおいて、タンブラーＢに形成された複数の係合凹部の、支軸に関し時計方向或いは反時計方向における最外側の係合凹部に隣接して、その外側に同じ角度間隔で係合凹部を増設し、一方、タンブラーＡにおいて、支軸を中心とし、支軸と係合突起の夫々中心を結ぶ線分を半径とする円弧上の、支軸から見て係合凹部の増設方向に、係合凹部と同じ角度間隔で係合突起を増設したことを特徴とする可変レバータンブラー錠のタンブラー。
【発明の詳細な説明】
【０００１】
【発明が属する技術分野】
この発明は、可変レバータンブラー錠のタンブラー（以下単にタンブラーという）に係り、特に、本出願人が先に提案した新規な可変レバータンブラー錠の防犯性能を向上させ得るタンブラーに関する。
【０００２】
【従来の技術】
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
本出願人は、先に、上記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造、特にその支持機構を理解する必要があるが、その構造は上記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に係合突起９を、また、タンブラーＢ１Ｂの内側縁部には支軸２を中心とする円弧上にタンブラーＡの係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの係合突起９は係合凹部１１から抜き外される。
【００１５】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１６】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【００１７】
【発明が解決しようとする課題】
前記特許文献１〜５に記載の可変タンブラー錠と雖も通常のレバータンブラー錠と同様に機能し、内筒の鍵孔に合鍵５を挿入して内筒を回動させると、図１の外筒１６のカム溝１７に定座していたロッキングバー１３がカム溝１７の斜面との間に生じる楔作用により、内筒中心軸線方向（図１で上方）に移動しようとする。
【００１８】
このとき、前タンブラー１、１の解錠切欠８、８の内筒中心軸線回りの角度位置がロッキングバー１２と整合していると、ロッキングバー１２は外筒内周面に乗り上がり、内筒が回動可能になる。すなわち、レバータンブラー錠は解錠される。
【００１９】
しかしながら、鍵孔に挿入された鍵の鍵溝６、６の一つでも合鍵のそれと異なる場合、換言すれば所謂異鍵を鍵孔に挿入した場合、その異なる鍵溝に対応するタンブラーＢの自由端部外側端縁のロッキングバー１２に対向する部分には解錠切欠８が形成されていない。
【００２０】
したがって、この状態で内筒を回すと、ロッキングバー１２はその解錠切欠が形成されていないタンブラーＢの自由端部外側端縁を上方に押動するので、当該タンブラー１の自由端部は、内筒を中心軸線方向に貫通するバックアップピン１８とロッキングバー１２との間に強く挟まれる。
【００２１】
そのため、図１から明らかなように、バックアップピン１８に係止された係合突起９に対し、タンブラーＢ１Ｂの弾性変形によってバックアップピン１８に近接する方向に移動する係合凹部１１が、係合突起９にこれを剪断しようとする大きな力を加える。
【００２２】
前記特許文献３にも記載されているように、係合突起９は例えば鍛造加工により突設された直径０．８ｍｍ程度の細いものであるから、非常に大きな力で異鍵を回すと、その力が１個の係合突起に集中した場合、絶対に剪断されないと断言することはできない、等未だ改良の余地がある。
【００２３】
そこで、この発明は、係合突起に大きな剪断力が印加された場合でも剪断破壊されないタンブラーを提供し、以て可変タンブラー錠の防犯性能を高めることを目的としている。
【００２４】
【課題を解決するための手段】
上記の目的を達成するため、この発明は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を突設し、また、タンブラーＢの内側縁部には支軸を中心とする円弧上にタンブラーＡの係合突起と係合可能な係合凹部の複数を等角度間隔で形成すると共に、係合凹部の形成角度位置を、合鍵の側端縁に形成された複数種類の深さの鍵溝にタンブラーＡの係合部が夫々係合したとき、その係合突起と整合するように設定したものにおいて、タンブラーＢに形成された複数の係合凹部の、支軸に関し時計方向或いは反時計方向における最外側の係合凹部に隣接して、その外側に同じ角度間隔で係合凹部を増設し、一方、タンブラーＡにおいて、支軸を中心とし、支軸と係合突起の夫々中心を結ぶ線分を半径とする円弧上の、支軸から見て係合凹部の増設方向に、係合凹部と同じ角度間隔で係合突起を増設したことを特徴とする。
【００２５】
【実施例】
以下、この発明の実施例を図４を参照して説明する。
この発明は、要するに、鍵違いを変換するための係合突起を２個にする、ということに尽きる。
【００２６】
具体的な構造を説明すると、図４に示すように、タンブラーＢ１Ｂにおいて複数（図１の実施例では３個）の係合凹部１１、１１の支軸２に関し反時計方向において一番外側（図１で一番右）の係合凹部１１の右隣にもう１個の係合凹部１１を増設する。
【００２７】
なお、これは言うまでもないが、図４における４個の係合凹部１１、１１の角度間隔は一定で、換言すれば、これら４個の係合凹部１１、１１は等角度間隔で形成されている。
【００２８】
一方、タンブラーＡ１Ａにおいて、支軸２を中心とし、支軸２と係合突起９の夫々中心を結ぶ線分を半径とする円弧上の、支軸から見て係合凹部１１の増設方向すなわち図４で右側に、係合凹部と同じ角度間隔で係合突起９が増設されている。
【００２９】
図４から明らかなように、係合凹部１１、１１の角度間隔と係合突起９のそれとは同じであり、しかも、係合凹部１１及び係合突起９は同じ方向に増設されているから、解錠切欠８の形成角度位置の数を減らすこと無く、係合突起９及び係合凹部１１は何時も２個づつ係合する。
【００３０】
【発明の効果】
以上の説明から明らかなように、この発明は、タンブラーＡ、Ｂが常時２個の係合突起９、９によって連結されるから、鍵孔に異鍵を挿入して強い力で内筒を回動させても、前記した係合突起を剪断しようとする力は分散され、具体的には１／２になるので、実際に係合突起を剪断しようとしてもそれは不可能であり、そのため可変タンブラー錠の錠前としての安全性が格段に向上する、という所期の効果を奏する。
【図面の簡単な説明】
【図１】従来の可変タンブラー錠のタンブラーの構造の一例を示す拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】この発明の一実施例による可変タンブラー錠のタンブラーの一例を示す拡大横断面図。
【符号の説明】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１１  係合凹部
１２  ロッキングバー
１３  変換ピン
１４  スイッチ部材
１５  スペーサリング
１６  外筒
１７  カム溝
１８  バックアップピン
【図１】
2004308331.tif 000003
【図２】
2004308331.tif 000004
【図３】
2004308331.tif 000005
【図４】
2004308331.tif 000006